(57)【要約】  本発明は、流失砂復元固定式構造体ユニット、構造物及び復元方法に関するものである。このために、本発明は、海岸や河岸の侵食による流失砂を復元するために水中に配設される固定式カバー構造体ユニットにおいて、前記固定式カバー構造体ユニットは、長手方向の両端部が開放されて流入部及び排出部がそれぞれ設けられるが、下部には侵食部が開放されるように設けられ、長手方向に沿って流入部に向かって断面の高さが高くなるように形成されるが、前記固定式カバー構造体ユニットの内部には流水の流れる中空部が一体に設けられてベンチュリ効果を用いて流失砂を復元することを特徴とする。
2016519233.tif 000002
【特許請求の範囲】
【請求項１】
海岸や河岸の侵食による流失砂を復元するために水中に設けられる固定式カバー構造体ユニット（Ｕ）において、
前記固定式カバー構造体ユニット（Ｕ）は、長手方向の両端部が開放されて流入部（１０）及び排出部（２０）がそれぞれ設けられるが、下部には侵食部（３０）が開放されるように設けられ、長手方向に沿って流入部（１０）に向かって断面の高さが高くなるように形成されるが、前記固定式カバー構造体ユニット（Ｕ）の内部には流水が流れる中空部（Ｈ）が一体に設けられてベンチュリ効果を用いて流失砂を復元することを特徴とする流失砂復元固定式カバー構造体ユニット。
【請求項２】
前記固定式カバー構造体ユニット（Ｕ）は、長手方向に配設される一対の外壁部（４０、４０´）と、前記外壁部（４０、４０´）の上部を覆う覆体部（５０）と、を備えることを特徴とする請求項１に記載の流失砂復元固定式カバー構造体ユニット。
【請求項３】
前記固定式カバー構造体ユニット（Ｕ）の排出部（２０）の端部には高さが揃うように排出誘導部（２１）が設けられ、前記固定式カバー構造体ユニット（Ｕ）の流入部（１０）側には流入誘導部（１１）が長手方向の外側の下向きに傾くように形成されることを特徴とする請求項１に記載の流失砂復元固定式カバー構造体ユニット。
【請求項４】
前記固定式カバー構造体ユニット（Ｕ）の幅方向の両端には、長手方向に流失防止部（６０、６０´）が垂直に形成されることを特徴とする請求項１に記載の流失砂復元固定式カバー構造体ユニット。
【請求項５】
前記中空部（Ｈ）の断面は曲げ率を有するように形成されるが、前記中空部（Ｈ）がスクリュー形状を有するように前記固定式カバー構造体ユニット（Ｕ）の内面にスクリュー溝（７０）が形成されることを特徴とする請求項１に記載の流失砂復元固定式カバー構造体ユニット。
【請求項６】
前記固定式カバー構造体ユニット（Ｕ）には、誘導ワイヤー（Ｗ）が貫通するように複数のワイヤー孔（８０）が配設されることを特徴とする請求項１に記載の流失砂復元固定式カバー構造体ユニット。
【請求項７】
前記固定式カバー構造体ユニット（Ｕ）の排出部（２０）には、流水の流れにより開閉されるように水門（９０）が配設されることを特徴とする請求項１に記載の流失砂復元固定式カバー構造体ユニット。
【請求項８】
海岸や河岸の侵食による流失砂を復元するために水中に配設される固定式構造物（Ｓ）において、請求項１に記載の固定式カバー構造体ユニット（Ｕ）を長手方向と平行に連続的に配置することを特徴とする流失砂復元固定式構造物。
【請求項９】
海岸や河岸の侵食による流失砂を復元するための固定式復元方法（Ｍ）において、
前記固定式復元方法（Ｍ）は、
侵食による海岸や河岸の復元位置を選定する復元位置選定ステップ（Ｓ１００）と、
請求項１に記載の固定式カバー構造体ユニット（Ｕ）を配置して固定式構造物（Ｓ）を形成する構造物形成ステップ（Ｓ２００）と、
固定された前記固定式構造物（Ｓ）がベンチュリ効果を用いて流失砂を復元する流失砂復元ステップ（Ｓ３００）と、
を含むことを特徴とする固定式流失砂の復元方法。
【請求項１０】
前記構造物形成ステップ（Ｓ２００）は、
前記固定式カバー構造体ユニット（Ｕ）を製作する構造体ユニット製作ステップ（Ｓ２１０）と、
前記固定式構造物（Ｓ）を形成する位置の海底面を整える海底面整えステップ（Ｓ２２０）と、
前記固定式カバー構造体ユニット（Ｕ）を長手方向と平行に連続的に配置する構造体ユニット配置ステップ（Ｓ２３０）と、
を含むことを特徴とする請求項９に記載の固定式流失砂の復元方法。
【請求項１１】
前記流失砂復元ステップ（Ｓ３００）は、
流水が前記固定式カバー構造体ユニット（Ｕ）の流入部（１０）に流入する流水流入ステップ（Ｓ３１０）と、
流入した流水が侵食部（３０）の砂を侵食させる砂侵食ステップ（Ｓ３２０）と、
侵食された砂及び流水が前記排出部（２０）に排出される流水排出ステップ（Ｓ３３０）と、
侵食された砂が堆積される砂堆積ステップ（Ｓ３４０）と、
を含むことを特徴とする請求項９に記載の固定式流失砂の復元方法。
【発明の詳細な説明】
【技術分野】
【０００１】
本発明は、流失砂復元固定式構造体ユニット、構造物及び復元方法に係り、さらに詳しくは、海岸や河岸の侵食による流失砂を復元するために水中に配設され、ベンチュリ効果を用いて流失砂を復元する固定式構造体ユニットと、これを用いた構造物及びこれを用いた復元方法に関する。
【背景技術】
【０００２】
最近、波の多い海辺の海岸の侵食作用が問題として取り上げられている。一般に、海岸の侵食作用は、嵐などの気象条件による局部的な発生要因と、連続的な波及び潮水干滿の差による長期的な発生要因がある。このような侵食作用は、四季を通して起こるのが現状であり、特に、冬期に発生する北西風、南西風による波は、侵食作用を一層深刻化させている。
【０００３】
前記海岸の侵食作用を防ぐために、通常、防波堤構造物及びブロック構造物などが用いられている。
【０００４】
前記防波堤構造物は、海岸に向かう波の波浪エネルギーを低減させて広い空間の静穏化海域を生み出し、海岸線を保護するものであるが、波浪エネルギーの吸収及び分散効果が少なく、防波堤構造物にぶつかって反射される重複波により深刻な侵食が引き起こされるとともに、酷い場合には、防波堤構造物が崩壊されて機能が失われることもあった。
【０００５】
また、前記防波堤構造物が水面の上に浮き上がるように施工されるが、自然景観がきれいではなく、海水が所定の区間にたまって深刻な水質汚染が引き起こされ、自然の生態系の環境に悪い結果を招いていた。
【０００６】
一方、前記ブロック構造物としては、大韓民国登録特許第１０−０８９５５２５号及び大韓民国登録特許第１０−１０１１０２０号に記載のものがある。前記ブロック構造物は、侵食作用が起こる区間の砂の上に積み重ねるため、沿岸侵食による砂の移動を低減させるが、多数が互いに結合されて設置される過程において海底面の形状に合わせて設置し難く、ブロックと海底面との間にある砂も波にのまれ易いという問題がある。
【先行技術文献】
【特許文献】
【０００７】
【特許文献１】大韓民国登録特許第１０−０８９５５２５号公報
【特許文献２】大韓民国登録特許第１０−１０１１０２０号公報
【発明の概要】
【発明が解決しようとする課題】
【０００８】
本発明は、上述した従来の問題を解消するために案出されたものであり、単に侵食砂が水中方向に流失されないことを防ぐことに留まらず、積極的に流失砂を陸地方向に復元し、流水の流れを遮断しないことから、自然の生態系にやさしく、しかも、環境にやさしい流失砂復元固定式構造体ユニット、構造物及び復元方法を提供するところにその目的がある。
【課題を解決するための手段】
【０００９】
上述した目的を達成するためになされた本発明による流失砂復元固定式カバー構造体ユニットは、海岸や河岸の侵食による流失砂を復元するために水中に設けられる固定式カバー構造体ユニットＵにおいて、前記固定式カバー構造体ユニットＵは、長手方向の両端部が開放されて流入部１０及び排出部２０がそれぞれ設けられるが、下部には侵食部３０が開放されるように設けられ、長手方向に沿って流入部１０に向かって断面の高さが高くなるように形成されるが、前記固定式カバー構造体ユニットＵの内部には流水が流れる中空部Ｈが一体に設けられてベンチュリ効果を用いて流失砂を復元することを特徴とする。
【００１０】
また、前記固定式カバー構造体ユニットＵは、長手方向に配設される一対の外壁部４０、４０´と、前記外壁部４０、４０´の上部を覆う覆体部５０と、を備えることを特徴とする。
【００１１】
さらに、前記固定式カバー構造体ユニットＵの排出部２０の端部には高さが揃うように排出誘導部２１が設けられ、前記固定式カバー構造体ユニットＵの流入部１０側には流入誘導部１１が長手方向の外側の下向きに傾くように形成されることを特徴とする。
【００１２】
さらにまた、前記固定式カバー構造体ユニットＵの幅方向の両端には、長手方向に流失防止部６０、６０´が垂直に形成されることを特徴とする。
【００１３】
さらにまた、前記中空部Ｈの断面は曲げ率を有するように形成されるが、前記中空部Ｈがスクリュー形状を有するように前記固定式カバー構造体ユニットＵの内面にスクリュー溝７０が形成されることを特徴とする。
【００１４】
さらにまた、前記固定式カバー構造体ユニットＵには、誘導ワイヤーＷが貫通するように複数のワイヤー孔８０が配設されることを特徴とする。
【００１５】
さらにまた、前記固定式カバー構造体ユニットＵの排出部２０には、流水の流れにより開閉されるように水門９０が配設されることを特徴とする。
【００１６】
また、本発明による流失砂復元固定式構造物は、海岸や河岸の侵食による流失砂を復元するために水中に配設される固定式構造物Ｓにおいて、前記固定式カバー構造体ユニットＵを長手方向と平行に連続的に配置することを特徴とする。
【００１７】
さらに、本発明による固定式流失砂の復元方法は、海岸や河岸の侵食による流失砂を復元するための固定式復元方法Ｍにおいて、前記固定式復元方法Ｍは、侵食による海岸や河岸の復元位置を選定する復元位置選定ステップＳ１００と、前記固定式カバー構造体ユニットＵを配置して固定式構造物Ｓを形成する構造物形成ステップＳ２００と、固定された前記固定式構造物Ｓがベンチュリ効果を用いて流失砂を復元する流失砂復元ステップＳ３００と、を含むことを特徴とする。
【００１８】
また、前記構造物形成ステップＳ２００は、前記固定式カバー構造体ユニットＵを製作する構造体ユニット製作ステップＳ２１０と、前記固定式構造物Ｓを形成する位置の海底面を整える海底面整えステップＳ２２０と、前記固定式カバー構造体ユニットＵを長手方向と平行に連続的に配置する構造体ユニット配置ステップＳ２３０と、を含むことを特徴とする。
【００１９】
さらに、前記流失砂復元ステップＳ３００は、流水が前記固定式カバー構造体ユニットＵの流入部１０に流入する流水流入ステップＳ３１０と、流入した流水が侵食部３０の砂を侵食させる砂侵食ステップＳ３２０と、侵食された砂及び流水が前記排出部２０に排出される流水排出ステップＳ３３０と、侵食された砂が堆積される砂堆積ステップＳ３４０と、を含むことを特徴とする。
【発明の効果】
【００２０】
以上述べたように、本発明による流失砂復元固定式構造体ユニット、構造物及び復元方法によれば、ベンチュリ効果を用いて流失砂を復元するカバー構造体ユニットを用いて単に侵食砂が水中方向に流失されないように防ぐことに留まらず、積極的に流失砂を陸地方向に復元することができるという効果がある。
【００２１】
また、ワイヤー孔に誘導ワイヤーを貫通させて手軽にカバー構造体ユニットを配置することができるという効果がある。
【００２２】
さらに、中空部が形成されて流水を遮断しないことから、自然の生態系にやさしく、しかも、環境にやさしいという効果がある。
【図面の簡単な説明】
【００２３】
【図１】従来の砂の流失の防止のためのブロック構造物を示す断面図である。
【図２】従来の砂の流失の防止のためのブロック構造物を示す断面図である。
【図３】本発明による一実施形態による流失砂復元固定式構造物の斜視図である。
【図４】本発明による様々な実施形態による固定式カバー構造体ユニットの斜視図である。
【図５】本発明による一実施形態によるカバー構造体ユニットを配置する斜視図である。
【図６】本発明による固定式カバー構造体ユニットの水門を示す拡大図である。
【図７】本発明による流失砂復元固定式構造物の概念図である。
【図８】本発明による固定式流失砂の復元方法を行う前及び本発明による固定式流失砂の復元方法を行った後を示す概略図である。
【図９】本発明による固定式流失砂の復元方法の経時的な変化を示す断面図である。
【図１０】本発明による固定式流失砂の復元方法を示すブロック図である。
【発明を実施するための形態】
【００２４】
以下、添付図面に基づいて、本発明の実施形態について説明する。
【００２５】
本発明による固定式カバー構造体ユニットＵは、海岸や河岸の侵食による流失砂を復元するために水中に配設されるものであり、図１〜図７に示すように構成される。
【００２６】
具体的に、前記固定式カバー構造体ユニットＵは、長手方向の両端部が開放されて流入部１０及び排出部２０がそれぞれ設けられるが、下部には侵食部３０が開放されるように設けられ、長手方向に沿って流入部１０に向かって断面の高さが高くなるように形成されるが、前記固定式カバー構造体ユニットＵの内部には流水の流れる中空部Ｈが一体に設けられてベンチュリ効果を用いて流失砂を復元する。
【００２７】
ベンチュリ効果とは、断面の面積が次第に狭まるような形状の構造物において、狭まる個所における流体の流速が速くなるように誘導される現象のことをいう。
【００２８】
すなわち、図７に示すように、前記固定式カバー構造体ユニットＵの断面が徐々に狭まるように製作して、流水の流れが速くなるように誘導し、これにより、積極的に砂を復元するのである。
【００２９】
前記流入部１０から排出部２０に向かって流水が誘導されなければならないが、流水の基本方向に沿って流入部１０及び排出部２０の方向を決定する筈である。海岸や河岸の場合であれば、陸地方向に排出部２０が配設されることが好ましい。
【００３０】
また、図７に示すように、前記固定式カバー構造体ユニットＵの下部には侵食部３０が開放されるように設けられて流水の流れに沿って底面の砂が積極的に侵食され、侵食砂が前記排出部２０を介して堆積される。
【００３１】
このため、流入部１０の断面積に比べて排出部２０の断面積が狭まるように形成しなければ、ベンチュリ効果が期待できないが、長手方向に沿って流入部１０に向かって断面の高さが高くなるように形成される。
【００３２】
このとき、図４に示すように、前記固定式カバー構造体ユニットＵは、四角形状の断面だけではなく、曲線状、三角形状、梯形状などの様々な断面形状に製作され、中空部Ｈも、前記固定式カバー構造体ユニットＵの断面に応じて様々な形状に製作される。但し、いうまでもなく、前記中空部Ｈが、ベンチュリ効果が得られる形状に製作される必要がある。
【００３３】
一方、前記固定式カバー構造体ユニットＵは、長手方向に配設される一対の外壁部４０、４０´と、前記外壁部４０、４０´の上部を覆う覆体部５０と、を備える。
【００３４】
前記形状は、固定式カバー構造体ユニットＵの形状に対する一つの実施形態に過ぎない。一方、前記外壁部４０、４０´は、直立形状に加えて、斜線状、曲線状に製作されてもよく、前記覆体部５０も水平形状に加えて曲線形状に製作されてもよいということは当該技術分野における通常の知識を有する者であれば誰でも容易に理解できる筈である。
【００３５】
一方、前記固定式カバー構造体ユニットＵの排出部２０の端部には高さが揃うように排出誘導部２１が設けられ、前記固定式カバー構造体ユニットＵの流入部１０側には流入誘導部１１が長手方向の外側の下向きに傾くように形成される。
【００３６】
前記排出誘導部２１は、流水の流れが連続的に形成されるように誘導する機能を有する。前記排出誘導部２１が形成されなければ、排出部２０の外側においていきなり流水が膨張して流れが邪魔されるとともに、砂の上昇現象が起こるが、前記排出誘導部２１により流水が連続的に流れるが、侵食砂が排出部２０の外側に積極的に誘導されて堆積される。
【００３７】
前記流入誘導部１１は、外側の下向きに傾くように形成されて流水から前記流入部１０に加えられる圧力を低減し、流水の流れにいきなり変化が生じないように自然な流れを誘導する機能を有する。
一方、前記固定式カバー構造体ユニットＵの幅方向の両端には長手方向に流失防止部６０、６０´が垂直に形成される。
【００３８】
前記流失防止部６０、６０´は、流水の侵食部３０における侵食作用により発生した侵食砂が排出部２０を介して排出されずに、前記固定式カバー構造体ユニットＵの側面の下部を介して流出されることを防ぐために形成される。
【００３９】
前記流失防止部６０、６０´の断面は、固定式カバー構造体ユニットＵの厚さよりも薄く形成するが、楔状に製作され、金属製であることが好ましい。これは、前記流失防止部６０、６０が自重により底面に挿入されるようにするためである。
【００４０】
一方、図４に示す一実施形態のように、前記中空部Ｈの断面は曲率を有するように形成されるが、前記中空部Ｈがスクリュー形状を有するように前記固定式カバー構造体ユニットＵの内面にスクリュー溝７０が形成される。
【００４１】
前記スクリュー溝７０により中空部Ｈはスクリュー形状を有し、これにより、流水の流れが積極的に誘導され、その結果、底面の侵食がより活発に行われる。
【００４２】
また、図５に示すように、前記固定式カバー構造体ユニットＵには、誘導ワイヤーＷが貫通するように複数のワイヤー孔８０が配設される。
【００４３】
前記固定式カバー構造体ユニットＵは、配置過程において、隣り合うカバー構造体ユニットＵとの関係からから、長手方向と平行に連続的に配置しなければならず、作業が精度よく行われることが求められる。
【００４４】
このため、前記誘導ワイヤーＷを備えて、前記誘導ワイヤーＷを前記固定式カバー構造体ユニットＵのワイヤー孔８０に貫通させて、前記誘導ワイヤーＷに沿って自然に固定式カバー構造体ユニットＵを移動させると、隣り合う固定式カバー構造体ユニットＵの長手方向と平行になるように精度よい配置が行われる。
【００４５】
このとき、前記ワイヤー孔８０は固定式カバー構造体ユニットＵに埋め込まれてもよく上部に固設されてもよい。
【００４６】
また、図６に示すように、前記固定式カバー構造体ユニットＵの排出部２０には、流水の流れにより開閉されるように水門９０が配設される。
【００４７】
前記水門９０は流水の流れにより自然に開閉されるが、流水の流れが陸地方向を向くときには開放され、流水の流れが水中方向を向くときには閉じるように構成される。これにより、砂が逆方向に移動することが遮断されるという効果がある。
このために、前記水門９０の上部に蝶番を設けて前記水門９０を開閉することが好ましい。
【００４８】
一方、図３に示すように、本発明による固定式構造物Ｓは、海岸や河岸の侵食による流失砂を復元するために水中に配設されるが、前記固定式カバー構造体ユニットＵが長手方向と平行になるように連続的に配置する。
【００４９】
このとき、前記固定式カバー構造体ユニットＵは様々な方式により配置されるが、上述したように、誘導ワイヤーＷを用いて固定することが好ましい。
【００５０】
一方、図１０に示すように、本発明による固定式復元方法Ｍは、海岸や河岸の侵食による流失砂を復元するためのものであり、前記固定式復元方法Ｍは、侵食による海岸や河岸の復元位置を選定する復元位置選定ステップＳ１００と、前記固定式カバー構造体ユニットＵを配置して固定式構造物Ｓを形成する構造物形成ステップＳ２００と、固定された前記固定式構造物Ｓがベンチュリ効果を用いて流失砂を復元する流失砂復元ステップＳ３００と、を含む。
【００５１】
前記復元位置選定ステップＳ１００は、公知の手段を用いて復元すべき個所を把握し、位置及び範囲を浮標などを用いて表示する方法により行われる。
【００５２】
また、図３に示すように、前記構造物形成ステップＳ２００は、固定式カバー構造体ユニットＵを用いて固定式構造物Ｓを形成するステップである。
【００５３】
前記流失砂復元ステップＳ３００は、図７に示すように、流水のベンチュリ効果を用いて、積極的に底面の砂を侵食し、侵食された砂を排出部２０の外部に排出して堆積させるステップである。
【００５４】
このとき、図８に示すように、前記固定式カバー構造体ユニットＵは、全体的に海岸線または河岸線の方向と平行に配置され、排出部２０が陸地方向を向くことになる。
【００５５】
具体的に、前記構造物形成ステップＳ２００は、前記固定式カバー構造体ユニットＵを製作する構造体ユニット製作ステップＳ２１０と、前記固定式構造物Ｓを形成する個所の海底面を整える海底面整えステップＳ２２０と、前記固定式カバー構造体ユニットＵを長手方向と平行に連続的に配置する構造体ユニット配置ステップＳ２３０と、を含む。
【００５６】
前記構造体ユニット製作ステップＳ２１０は、海岸に近い陸地において行われるが、十分な作業空間が確保される個所において製作することが好ましい。これは、クレーンなどを用いて運搬するように工程を単純化させるためである。
【００５７】
また、前記海底面整えステップＳ２２０は、前記固定式カバー構造体ユニットＵの精度よい配置のために必ず行わなければならないものであり、カバー構造体ユニットＵ間に段差が生じることを低減するように底面を平坦化させる過程を含む。
【００５８】
但し、前記構造体ユニット製作ステップＳ２１０及び海底面整えステップＳ２２０は、その順序に明確な前後関係がなく、作業環境や条件に応じて自由に調節される。
【００５９】
一方、前記構造体ユニット配置ステップＳ２３０は、固定式構造物Ｓを形成する過程において最も核心となるステップである。通常、クレーンを用いて前記固定式カバー構造体ユニットＵを配置するが、固定式構造体ユニットＵは、配置過程において、隣り合うカバー構造体ユニットＵとの関係からから、長手方向と平行に連続的に配置しなければならず、作業が精度よく行われることが求められる。
【００６０】
このとき、前記固定式構造体ユニットＵは、全体的に海岸線または河岸線と平行に配置することが好ましい。
【００６１】
このため、上述したように、前記誘導ワイヤーＷを備えて、前記誘導ワイヤーＷを前記固定式カバー構造体ユニットＵのワイヤー孔８０に貫通させて、前記誘導ワイヤーＷに沿って自然に固定式カバー構造体ユニットＵを移動させると、隣り合う固定式カバー構造体ユニットＵの長手方向と平行になるように精度よい配置が行われる。
【００６２】
一方、前記流失砂復元ステップＳ３００は、流水が前記固定式カバー構造体ユニットＵの流入部１０に流入する流水流入ステップＳ３１０と、流入した流水が侵食部３０の砂を侵食させる砂侵食ステップＳ３２０と、侵食された砂及び流水が前記排出部２０に排出される流水排出ステップＳ３３０と、侵食された砂が堆積される砂堆積ステップＳ３４０と、を含む。
【００６３】
前記流失砂復元ステップＳ３００は、図７に示すように、ベンチュリ効果を積極的に利用するステップである。
【００６４】
具体的に、前記流失砂復元ステップＳ３００の流水流入ステップＳ３１０、砂侵食ステップＳ３２０、流水排出ステップＳ３３０及び砂堆積ステップＳ３４０は同時多発的に行われる過程であり、順次に行われるわけではない。しかしながら、流水の流れに応じて過程を細分化させると、上記の順に順次に行われる。
【００６５】
一方、図８は、本発明による固定式流失砂の復元方法を行う前及び本発明による固定式流失砂の復元方法を行った後を示す概略図であり、図９は、本発明による固定式流失砂の復元方法の経時的な変化を示す断面図であり、ａからｄまで復元される砂の経時的な変化を示すものである。
すなわち、固定式構造物Ｓに近い個所から陸地に向かって順次に砂が復元される。
【００６６】
上述した本発明による流失砂復元固定式構造体ユニット、構造物及び復元方法は上述した実施形態に限定されるものではなく、以下の特許請求の範囲において請求する本発明の要旨を逸脱することなく本発明が属する技術分野において通常の知識を有する者であれば誰でも種々に変更して実施可能な範囲まで特許請求の範囲の保護範囲に属するものと見なすべきである。
【産業上の利用可能性】
【００６７】
海岸や河岸の侵食による流失砂を復元するなど、海辺の侵食作用による問題を解消するのに利用可能である。
【図１】
2016519233.tif 000003
【図２】
2016519233.tif 000004
【図３】
2016519233.tif 000005
【図４】
2016519233.tif 000006
【図５】
2016519233.tif 000007
【図６】
2016519233.tif 000008
【図７】
2016519233.tif 000009
【図８】
2016519233.tif 000010
【図９】
2016519233.tif 000011
【図１０】
2016519233.tif 000012
【国際調査報告】
2016519233.tif 000013
2016519233.tif 000014
2016519233.tif 000015
2016519233.tif 000016